(57)【要約】      （修正有）【課題】本発明は、リキッドファンデーション、マスカラ、アイライナー、リップライナー、グロスなどの液状又は乳液状をした化粧料を充填する塗布具付化粧料容器において、化粧料が減少し残量が残り僅かとなっても塗布具に付着することができ、結果として内容物の残量を軽減させる容器の提供を課題とする。【解決手段】容器本体１とキャップ２との嵌合方法をアンダーカット機構１１，２２にすることで、軸先端の塗布具と容器本体との隙間を殆ど無くし、更にキャップを開けた状態でも容器本体の底と塗布具の先端の隙間が生じないようにキャップに備えた軸３が可動する構造を有することで、充填物を残さず使用することを可能とした。【選択図】図４
2007268176.tif 000002
【特許請求の範囲】
【請求項１】
口部及び胴壁部を備えた有底筒状の容器本体と、前記容器本体の口部に嵌着されるシゴキ中栓と、前記容器本体の口部から容器本体内に伸び出している塗布具を備えたキャップより構成されている塗布具付化粧料容器において、容器本体とキャップとの嵌合方法をアンダーカット機構にて嵌合することを特徴とする塗布具付化粧料容器。
【請求項２】
口部及び胴壁部を備えた有底筒状の容器本体と、前記容器本体の口部に嵌着されるシゴキ中栓と、前記容器本体の口部から容器本体内に伸び出している塗布具を備えたキャップより構成されている塗布具付化粧料容器において、該キャップ閉蓋時はキャップに備えられた塗布具の軸が短縮し、該キャップ開蓋時はキャップに備えられた塗布具の軸が伸長する機構を有することを特徴とする塗布具付化粧料容器。
【請求項３】
キャップ閉蓋時はキャップに備えられた塗布具の軸が短縮し、キャップ開蓋時はキャップに備えられた塗布具の軸が伸長する機構を有することを特徴とする請求項１記載の塗布具付化粧料容器。
【発明の詳細な説明】
【技術分野】
【０００１】
本発明は、塗布具付化粧料容器に関し、更には塗布具付化粧料容器において内容物の残存量を減少させる塗布具付化粧料容器に関する。
【背景技術】
【０００２】
従来、リキッドファンデーション、マスカラ、アイライナー、リップライナー、グロスなどの液状又は乳液状をした化粧料を充填する化粧料容器は、内容物である化粧料を取り出してそのまま塗布しやすいようにキャップに棒状等の塗布具を備えた塗布具付容器が一般的に用いられている。
【０００３】
しかし、上記塗布具付容器の多くは、容器本体とキャップの嵌合方法がネジ式であり、使用時にはキャップを開けて充填物である化粧料をキャップに接合されている軸の先端ある塗布具に付着させて使用する部位に塗布している。そして、キャップを閉めた状態では軸先端に備えられた塗布具は固定されているため充填物の残量が少なくなると付着する充填物が少なくなり、使用を続けていくと、内容物を塗布具に付着することができず、容器内に内容物を残留させたまま使用できなくなるという問題が発生していた。
【０００４】
また、上記のような問題を解決するために、容器本体内にシート状の袋体を設けた機構を設けたり、容器本体を弾性変形可能に形成し、その部分を蛇腹状の伸縮構造にした容器の提案がなされているが、容器構造が複雑になり容器コストの上昇や、容器の形状が限定される等の問題が依然として存在している。
【特許文献１】特開平９−１０３３２２号公報
【特許文献２】特開２００１−３２７３２７号公報
【発明の開示】
【発明が解決しようとする課題】
【０００５】
本発明は、リキッドファンデーション、マスカラ、アイライナー、リップライナー、グロスなどの液状又は乳液状をした化粧料を充填する塗布具付化粧料容器において、化粧料が減少し残量が残り僅かとなっても塗布具に付着することができ、結果として内容物の残量を軽減させる容器の提供を課題とする。
【課題を解決するための手段】
【０００６】
本発明者は、上記問題点を解決する為、容器本体とキャップとの嵌合方法をアンダーカット方式にすることで、使用時の軸先端の塗布具と容器本体との隙間を殆ど無くし、更にキャップを開けた状態でも容器本体の底と塗布具の先端の隙間が生じないようにキャップに備えた軸が可動する構造を有することで、充填物を残さず使用することを可能とし、本発明の完成に至った。
【０００７】
即ち、容器本体とキャップとの嵌合方法をアンダーカット方式にすることにより、従来のネジ式嵌合方法で発生していた使用時の塗布具と容器本体底との隙間を殆ど無くすことが可能となる。また、更に、キャップと塗布具を備えた軸との嵌合構造を、軸を固定するキャップ内部にバネ等の伸縮性を有する部材を装着させることで、キャップを開けた状態でもキャップ内部に装着したバネ等により軸がキャップ内部より外側に可動して、塗布具の先端と容器本体の底との隙間が生じることがなく、容器本体に残存する充填物を塗布具の先端でかきとることが可能になり、充填物の残量が殆ど無くなることを可能とした。
【発明の効果】
【０００８】
本発明によれば、塗布具付化粧料容器に充填したリキッドファンデーション、マスカラ、アイライナー、リップライナー、グロスなどの液状又は乳液状をした化粧料の残量が殆どなくなるまで使用可能となる。
【発明を実施するための最良の形態】
【０００９】
図１〜図４は、本発明の塗布具付化粧料容器及び従来の塗布具付化粧料容器の例を示すものであり、図1は、本発明の塗布具付化粧料容器のキャップを締めた状態の断面図である。図2は、本発明の塗布具付化粧料容器のキャップを開けた状態の断面図である。図３は、従来の塗布具付化粧料容器のキャップを締めた状態の断面図である。図４は、本発明の塗布具付化粧料容器における、容器本体とキャップとのアンダーカット方式による嵌合部分の拡大断面図である。
【００１０】
本発明の塗布具付化粧料容器は、容器本体とキャップがアンダーカット機構よって嵌合することを特徴としているため、ワンタッチで簡易にキャップの取り外しが可能となり、手軽に充填物を塗布することを可能とした。
【００１１】
更に、本発明の塗布具付化粧料容器は、キャップ内部に該キャップと軸との接合部分において空間を設け、空間内部に伸縮可能な物体を備えることにより、該キャップ開蓋時はキャップに備えられた塗布具の軸が伸縮可能な物体が伸長することにより、軸を該キャップの本体容器との嵌合部分であるアンダーカット機構を有する方向へ押し出すため、軸先端に設けられた塗布具の先端と容器本体低部の隙間が殆ど無い状態が維持される。
【００１２】
そして、容器本体とキャップがアンダーカット機構によって嵌合される構造とキャップ内部に該キャップと軸との接合部分において空間を設け、空間内部に伸縮可能な物体を備えることを併せて有することにより、キャップを締めた状態及び該キャップを開けた状態においても、常に、塗布具の先端と本体容器底部との隙間が殆ど無い状態が保たれ、塗布具に充填物を付着することを可能とし、容器本体に充填された充填物を残すことなく使用可能とした。
【００１３】
本発明に用いることができる容器本体及びキャップの材質は、アンダーカット機構によって嵌合される構造を有すれば、特に制限はなく、ＡＳ等の樹脂が例示できる。
【００１４】
本発明に用いることができるキャップ内に設置する伸縮可能な物体は、キャップを開けたときに軸部を押し伸ばし、キャップを閉めたときには軸部を縮め、容器本体とキャップの嵌合部に過度の負荷をかけないものであれば特に制限はなく、耐久性に優れた物質が好ましく、金属製のバネやゴム等が例示できる。
【実施例１】
【００１５】
本発明の塗布具付化粧料容器について図を用いて詳しく説明する。
【００１６】
図１は、本発明品の塗布具付化粧料容器のキャップを閉めた状態を表した断面図で、容器本体１とキャップ２がアンダーカット機構で嵌合する構造を有しおり、そのアンダーカット機構部を拡大したのが図４である。このアンダーカット機構（１１及び２２）にて容器本体１とキャップ２を嵌合させることにより、従来のネジ式嵌合に比べ、キャップの閉めトルクによる軸先端の塗布具３２と容器本体底部との間隔の設計上の余裕を極めて微小に抑えることができるため、容器本体底部周辺に残存する充填物が塗布具に付着することを可能とし、充填物の残存量が極めて少なくなる。
【００１７】
また、図１及び図２は、キャップ２の内部に軸３との接合する上部に空間部６を設け、該空間部６に金属製のバネ３を備えている。次に、キャップ２を開けた状態を表した図２の状態では、空間部６に備えたバネ３が伸長し、軸３をキャップ下部に押し伸ばし、キャップを開けた状態においても、軸先端の塗布具３２と容器本体底部との間隔を極めて微小に抑えることを可能とし、容器本体底部の内壁周辺部１２に残存する充填物を塗布具に付着させることを可能とした。
【００１８】
そして、キャップ２の内部に設けた空間部６に備える金属製のバネ６がスムーズに伸縮するようにキャップ２の上部内部に突起２１と軸３の上部に突起３１を設けた。また、前記の突起２１及び３１は、金属製のバネ３を空間部６内で不特定に可動することなく該バネ３の伸縮のみができるように設けることが好ましい。
【産業上の利用可能性】
【００１９】
本発明の塗布具付化粧料容器は、ワンタッチでキャップの着脱が可能であり、使用時において充填物の残量が殆どなくなるまで使用可能なため、リキッドファンデーション、マスカラ、アイライナー、リップライナー、グロスなどの化粧料を充填する容器に広く応用が可能である。
【図面の簡単な説明】
【００２０】
【図１】本発明の塗布具付化粧料容器のキャップを締めた状態の断面図。
【００２１】
【図２】本発明の塗布具付化粧料容器のキャップを開けた状態の断面図。
【００２２】
【図３】従来の塗布具付化粧料容器のキャップを締めた状態の断面図。
【００２３】
【図４】本発明の塗布具付化粧料容器における、容器本体とキャップとのアンダーカット方式による嵌合部分の拡大断面図。
【符号の説明】
【００２４】
１        容器本体
１１      アンダーカット機構
１２      容器本体底部の内壁部
２        キャップ
２１      突起
２２      アンダーカット機構
３        軸
３１      突起
４        伸縮可能な物体
５        中栓
６        空間部
【図３】
2007268176.tif 000003
【図１】
2007268176.tif 000004
【図２】
2007268176.tif 000005
【図４】
2007268176.tif 000006